(57)【要約】【課題】電子キーをもとに安価に乗車環境を設定することを可能にした車両制御システムを提供すること。【解決手段】ユーザ設定コントロールユニット４は、電子キー認証システム３による電子キーの認証結果を受けて、ドアの解錠に使用された電子キーを特定し、その電子キーの鍵番号に関連付けされている乗車環境の設定情報をユーザ設定記憶装置５から読み出して、その設定情報に基づいて、乗車環境を設定する。解錠に使用された電子キーの鍵番号が例えば「１」のとき、シート位置の設定情報は「Ａ」であり、ミラー位置の設定情報は「α」である。シート位置の設定情報「Ａ」に基づいて、運転席の座席シートが、鍵番号「１」の電子キーのユーザの嗜好、特性に合わせた位置に設定される。また、ミラー位置の設定情報「α」に基づいて、アウタミラーが、鍵番号「１」の電子キーのユーザの嗜好、特性に合わせた位置に設定される。【選択図】図１
2017043203.tif 000002
【特許請求の範囲】
【請求項１】
乗車環境を設定する車両制御システムにおいて、
車両に登録された電子キー毎に乗車環境の設定情報を記憶保持するユーザ設定記憶手段と、
電子キーの認証を経てドアが解錠されたとき、その解錠に使用された電子キーに関連付けされている乗車環境の設定情報に基づいて、乗車環境を設定するユーザ設定管理手段とを備える
ことを特徴とする車両制御システム。
【請求項２】
前記ユーザ設定管理手段は、電子キーの認証を経てドアが解錠されたとき、エンジンが停止していることを条件に、乗車環境を設定する
請求項１に記載の車両制御システム。
【請求項３】
複数の機器制御手段がそれぞれ対応する機器を対応する設定情報に基づいて制御することで１つの乗車環境が構築され、
前記ユーザ設定記憶手段は、前記複数の機器制御手段に共通の１つのユーザ設定記憶手段であり、
前記ユーザ設定管理手段は、電子キーの認証を経てドアが解錠されたとき、その解錠に使用された電子キーに関連付けされている全ての設定情報を前記ユーザ設定記憶手段から読み出して、各設定情報を対応する機器制御手段に伝達し、各機器制御手段は、対応する設定情報に基づいて、対応する機器を制御する
請求項１又は２に記載の車両制御システム。
【請求項４】
複数の機器制御手段がそれぞれ対応する機器を対応する設定情報に基づいて制御することで１つの乗車環境が構築され、
前記ユーザ設定記憶手段は、前記複数の機器制御手段のそれぞれに対応して設けられ、
前記ユーザ設定管理手段は、電子キーを鍵番号で管理し、管理対象の電子キーが解錠に使用されたとき、その電子キーの鍵番号を全ての機器制御手段に伝達し、各機器制御手段は、鍵番号に関連付けされている乗車環境の設定情報を対応するユーザ設定記憶手段から読み出して、その設定情報に基づいて、対応する機器を制御する
請求項１又は２に記載の車両制御システム。
【請求項５】
前記ユーザ設定管理手段は、エンジンが停止していることを条件に、車両の運転が終了した時点の乗車環境を示す設定情報を当該運転に使用された電子キーに関連付けして前記ユーザ設定記憶手段に更新記憶する
請求項１〜４のいずれか一項に記載の車両制御システム。
【請求項６】
前記ユーザ設定管理手段は、エンジンが停止しているとき、トリガ操作に基づいて、車両の運転が終了した時点の乗車環境を示す設定情報を当該運転に使用された電子キーに関連付けして前記ユーザ設定記憶手段に更新記憶する
請求項５に記載の車両制御システム。
【発明の詳細な説明】
【技術分野】
【０００１】
本発明は、乗車環境を設定する車両制御システムに関する。
【背景技術】
【０００２】
従来、生体特徴を取得するデバイス（車室内カメラ、指紋認証、静脈パターン認証等）によって運転者を推定し、運転者の嗜好、特性に合わせた乗車環境を設定する車両制御システムが提案されている（例えば、特許文献１を参照）。
【０００３】
また、運転者それぞれがＩＤカードを用意することで、同様に乗車環境を設定する車両制御システムも提案されている（例えば、特許文献２を参照）。
【先行技術文献】
【特許文献】
【０００４】
【特許文献１】特開２００９−２８６３４３号公報
【特許文献２】特開２００５−１３２２７３号公報
【発明の概要】
【発明が解決しようとする課題】
【０００５】
生体特徴を取得するデバイスによって運転者を推定する方法では、高度なセンサや情報処理を行う機器の取り付けが必要であり、導入コストが高い。
ＩＤカードによる認証によって運転者を推定する方法では、導入コストの問題を解消できるが、電子キーの他にＩＤカードを持ち歩く必要があり、紛失等のデメリットが存在する。
【０００６】
本発明は、このような問題点に着目してなされたものであって、その目的は、電子キーをもとに安価に乗車環境を設定することを可能にした車両制御システムを提供することにある。
【課題を解決するための手段】
【０００７】
上記課題を解決する車両制御システムは、乗車環境を設定する車両制御システムにおいて、車両に登録された電子キー毎に乗車環境の設定情報を記憶保持するユーザ設定記憶手段と、電子キーの認証を経てドアが解錠されたとき、その解錠に使用された電子キーに関連付けされている乗車環境の設定情報に基づいて、乗車環境を設定するユーザ設定管理手段とを備えることをその要旨としている。
【０００８】
この構成によれば、車両に登録された電子キーを使用してドアを解錠すると、その電子キーに関連付けされている乗車環境の設定情報に基づいて、乗車環境が設定される。つまり、ユーザの嗜好、特性に合わせた乗車環境とユーザに割り当てられた電子キーとを紐付けすることで、搭乗時に快適に乗車できることになる。運転者（ユーザ）の認証は電子キーの認証を利用するため、電子キーを車両キーとする電子キーシステムを搭載している車両であれば、それ以外に新しくセンサや入出力機器を追加する必要がなく、安価である。したがって、電子キーをもとに安価に乗車環境を設定することができる。
【０００９】
上記車両制御システムについて、前記ユーザ設定管理手段は、電子キーの認証を経てドアが解錠されたとき、エンジンが停止していることを条件に、乗車環境を設定することとしてもよい。
【００１０】
この構成によれば、運転中に誤って乗車環境が設定されることを防止できる。
上記車両制御システムについて、複数の機器制御手段がそれぞれ対応する機器を対応する設定情報に基づいて制御することで１つの乗車環境が構築され、前記ユーザ設定記憶手段は、前記複数の機器制御手段に共通の１つのユーザ設定記憶手段であり、前記ユーザ設定管理手段は、電子キーの認証を経てドアが解錠されたとき、その解錠に使用された電子キーに関連付けされている全ての設定情報を前記ユーザ設定記憶手段から読み出して、各設定情報を対応する機器制御手段に伝達し、各機器制御手段は、対応する設定情報に基づいて、対応する機器を制御することとしてもよい。
【００１１】
この構成によれば、ユーザ設定管理手段は、１つのユーザ設定記憶手段を通じて、各設定情報を一元管理することができる。
上記車両制御システムについて、複数の機器制御手段がそれぞれ対応する機器を対応する設定情報に基づいて制御することで１つの乗車環境が構築され、前記ユーザ設定記憶手段は、前記複数の機器制御手段のそれぞれに対応して設けられ、前記ユーザ設定管理手段は、電子キーを鍵番号で管理し、管理対象の電子キーが解錠に使用されたとき、その電子キーの鍵番号を全ての機器制御手段に伝達し、各機器制御手段は、鍵番号に関連付けされている乗車環境の設定情報を対応するユーザ設定記憶手段から読み出して、その設定情報に基づいて、対応する機器を制御することとしてもよい。
【００１２】
この構成によれば、ユーザ設定管理手段は、電子キーの鍵番号を各機器制御手段に伝達すればよいため、処理負担を軽減できる。
上記車両制御システムについて、前記ユーザ設定管理手段は、エンジンが停止していることを条件に、車両の運転が終了した時点の乗車環境を示す設定情報を当該運転に使用された電子キーに関連付けして前記ユーザ設定記憶手段に更新記憶することとしてもよい。
【００１３】
この構成によれば、運転中の誤記憶を防止できる。
上記車両制御システムについて、前記ユーザ設定管理手段は、エンジンが停止しているとき、トリガ操作に基づいて、車両の運転が終了した時点の乗車環境を示す設定情報を当該運転に使用された電子キーに関連付けして前記ユーザ設定記憶手段に更新記憶することとしてもよい。
【００１４】
この構成によれば、トリガ操作に基づいて、設定情報が更新記憶される。したがって、電子キーの貸与等を考慮しつつ、ユーザの意思に基づいて、乗車環境を設定することができる。
【発明の効果】
【００１５】
本発明によれば、電子キーをもとに安価に乗車環境を設定することができる。
【図面の簡単な説明】
【００１６】
【図１】第１の実施の形態の車両制御システムが適用された車両の構成を示すブロック図。
【図２】ユーザ設定コントロールユニットによる乗車環境の設定処理を示すフローチャート。
【図３】第２の実施の形態の車両制御システムが適用された車両の構成を示すブロック図。
【発明を実施するための形態】
【００１７】
（第１の実施の形態）
以下、車両制御システムの第１の実施の形態について説明する。
図１に示すように、車両制御システム１は、電子キーを車両キーとする電子キーシステムを搭載している車両２に適用される。車両２には、ユーザが所持する電子キーの認証を行う電子キー認証システム３が搭載されている。電子キー認証システム３は、電子キーとの通信の契機となる呼び掛け信号を送信する送信機の他、呼び掛け信号を受けて電子キーから送信されてくる応答信号を受信する受信機、さらには応答信号を解析して電子キーの認証（ＩＤ照合）を行う照合装置を含む。電子キーの認証が成立したことを条件に、ドアの解錠の他、エンジンの始動等、車載機器の動作が許可される。本例の車両２には、複数本（例えば最高で８本）の電子キーが登録され、登録済のいずれかの電子キーを使用してドアの解錠等を行えるようになっている。
【００１８】
車両制御システム１は、ユーザ設定コントロールユニット４とユーザ設定記憶装置５とを備える。ユーザ設定記憶装置５には、車両２に登録済の電子キーの鍵番号に、シート位置及びミラー位置等を含む乗車環境の設定情報が関連付けされて記憶保持されている。ユーザ設定コントロールユニット４は、電子キー認証システム３による電子キーの認証結果を受けて、ドアの解錠に使用された電子キーを特定し、その電子キーの鍵番号に関連付けされている乗車環境の設定情報をユーザ設定記憶装置５から読み出して、その設定情報に基づいて、乗車環境を設定する。ユーザ設定コントロールユニット４は、ユーザ設定管理手段に相当し、ユーザ設定記憶装置５は、ユーザ設定記憶手段に相当する。
【００１９】
車両２には、運転シート位置制御システム６の他、ミラー位置制御システム７等が搭載されている。運転シート位置制御システム６（機器制御手段）は、ユーザ設定コントロールユニット４から伝達されたシート位置の設定情報に基づいて、運転席の座席シート（機器）の位置を制御する。ミラー位置制御システム７（機器制御手段）は、ユーザ設定コントロールユニット４から伝達されたミラー位置の設定情報に基づいて、アウタミラー（機器）の位置を制御する。
【００２０】
次に、車両制御システム１の作用について説明する。
図２に示すように、ユーザ設定コントロールユニット４は、車両２に登録済の電子キーによる解錠があったとき（ステップＳ１でＹＥＳ）、エンジンが停止していることを条件に（ステップＳ２でＹＥＳ）、解錠に使用された電子キーの鍵番号を取得する（ステップＳ３）。
【００２１】
そして、ユーザ設定コントロールユニット４は、その鍵番号に関連付けされている乗車環境の設定情報をユーザ設定記憶装置５から読み出す（ステップＳ４）。図１を参照して、解錠に使用された電子キーの鍵番号が例えば「１」のとき、シート位置の設定情報は「Ａ」であり、ミラー位置の設定情報は「α」である。ユーザ設定コントロールユニット４は、シート位置の設定情報「Ａ」を運転シート位置制御システム６に伝達するとともに、ミラー位置の設定情報「α」をミラー位置制御システム７に伝達する。
【００２２】
その結果、運転シート位置制御システム６による制御のもと、運転席の座席シートが、シート位置の設定情報「Ａ」に基づいて、鍵番号「１」の電子キーのユーザの嗜好、特性に合わせた位置に設定される。また、ミラー位置制御システム７による制御のもと、アウタミラーが、ミラー位置の設定情報「α」に基づいて、鍵番号「１」の電子キーのユーザの嗜好、特性に合わせた位置に設定される。つまり、ユーザ設定値がデバイス（各機器）に反映される（ステップＳ５）。
【００２３】
そして、その後のユーザによる設定変更の可能性を踏まえ、ユーザ設定コントロールユニット４は、デバイスの設定変化を監視する（ステップＳ６）。そして、ユーザ設定コントロールユニット４は、シフトポジションがパーキングにあり（ステップＳ７でＹＥＳ）、且つ、エンジンが停止している状態で（ステップＳ８でＹＥＳ）、ユーザによるトリガ操作があったとき（ステップＳ９でＹＥＳ）、それまでのユーザ設定値をこの時点の設定値（ユーザ選好値）に変更する（ステップＳ１０）。
【００２４】
すなわち、ユーザ設定コントロールユニット４は、車両２の運転が終了した時点（ステップＳ７及びステップＳ８で共にＹＥＳ）の乗車環境を示す設定情報を、当該運転に使用された電子キー（本例では鍵番号「１」の電子キー）に関連付けして、ユーザ設定記憶装置５に更新記憶する。その結果、更新後の記憶内容が次回の解錠時における乗車環境の設定に反映されることになる。
【００２５】
以上説明したように、本実施の形態によれば、以下の効果を奏することができる。
（１）車両２に登録された電子キーを使用してドアを解錠すると、その電子キーに関連付けされている乗車環境の設定情報に基づいて、乗車環境が設定される。つまり、ユーザの嗜好、特性に合わせた乗車環境とユーザに割り当てられた電子キーとを紐付けすることで、搭乗時に快適に乗車できることになる。運転者（ユーザ）の認証は電子キーの認証を利用するため、電子キーを車両キーとする電子キーシステムを搭載している車両２であれば、それ以外に新しくセンサや入出力機器を追加する必要がなく、安価である。したがって、電子キーをもとに安価に乗車環境を設定することができる。
【００２６】
（２）ユーザ設定コントロールユニット４は、電子キーの認証を経てドアが解錠されたとき、エンジンが停止していることを条件に、乗車環境を設定する。この構成によれば、運転中に誤って乗車環境が設定されることを防止できる。
【００２７】
（３）ユーザ設定コントロールユニット４は、複数の制御システム６、７に共通の１つのユーザ設定記憶装置５を通じて、複数の設定情報を一元管理することができる。
（４）ユーザ設定コントロールユニット４は、エンジンが停止していることを条件に、車両２の運転が終了した時点の乗車環境を示す設定情報を当該運転に使用された電子キーに関連付けしてユーザ設定記憶装置５に更新記憶する。この構成によれば、運転中の誤記憶を防止できる。
【００２８】
（５）トリガ操作に基づいて、設定情報が更新記憶される。したがって、電子キーの貸与等を考慮しつつ、ユーザの意思に基づいて、乗車環境を設定することができる。例えば、電子キーにトリガスイッチを設け、その操作をトリガ操作とすることで、ユーザの意思に基づく設定が可能になる。
【００２９】
（６）最後に運転したときの情報が保持されて、その情報による乗車環境が次回の解錠時に復元される。これにより、同じ運転者でも、異なった設定を行うことができる。
（第２の実施の形態）
次に、車両制御システムの第２の実施の形態について説明する。
【００３０】
図３に示すように、本例の車両制御システム１は、上記第１の実施の形態と同様のユーザ設定コントロールユニット４の他、運転シート位置制御システム６に対応して設けられるユーザ設定記憶装置５ａと、ミラー位置制御システム７に対応して設けられるユーザ設定記憶装置５ｂとを備える。ユーザ設定記憶装置５ａには、電子キーの鍵番号にシート位置の設定情報が関連付けされて記憶保持されている。一方、ユーザ設定記憶装置５ｂには、電子キーの鍵番号にミラー位置の設定情報が関連付けされて記憶保持されている。
【００３１】
ユーザ設定コントロールユニット４は、電子キー認証システム３による電子キーの認証結果を受けて、ドアの解錠に使用された電子キーを特定し、その電子キーの鍵番号を運転シート位置制御システム６及びミラー位置制御システム７等に伝達する。運転シート位置制御システム６は、ユーザ設定コントロールユニット４から伝達された鍵番号に関連付けされているシート位置の設定情報をユーザ設定記憶装置５ａから読み出して、その設定情報に基づいて、運転席の座席シートの位置を制御する。一方、ミラー位置制御システム７は、ユーザ設定コントロールユニット４から伝達された鍵番号に関連付けされているミラー位置の設定情報をユーザ設定記憶装置５ｂから読み出して、その設定情報に基づいて、アウタミラーの位置を制御する。ユーザ設定記憶装置５ａ、５ｂは共にユーザ設定記憶手段に相当する。
【００３２】
次に、車両制御システム１の作用について説明する。
図２を援用して、ユーザ設定コントロールユニット４は、車両２に登録済の電子キーによる解錠があったとき（ステップＳ１でＹＥＳ）、エンジンが停止していることを条件に（ステップＳ２でＹＥＳ）、解錠に使用された電子キーの鍵番号（例えば「１」）を取得する（ステップＳ３）。
【００３３】
そして、ユーザ設定コントロールユニット４は、その鍵番号「１」を運転シート位置制御システム６及びミラー位置制御システム７等に伝達する。運転シート位置制御システム６は、鍵番号「１」に関連付けされているシート位置の設定情報「Ａ」をユーザ設定記憶装置５ａから読み出し、ミラー位置制御システム７は、鍵番号「１」に関連付けされているミラー位置の設定情報「α」をユーザ設定記憶装置５ｂから読み出す（ステップＳ４）。
【００３４】
その結果、運転シート位置制御システム６による制御のもと、運転席の座席シートが、シート位置の設定情報「Ａ」に基づいて、鍵番号「１」の電子キーのユーザの嗜好、特性に合わせた位置に設定される。また、ミラー位置制御システム７による制御のもと、アウタミラーが、ミラー位置の設定情報「α」に基づいて、鍵番号「１」の電子キーのユーザの嗜好、特性に合わせた位置に設定される。つまり、ユーザ設定値がデバイス（各機器）に反映される（ステップＳ５）。
【００３５】
そして、その後のユーザによる設定変更の可能性を踏まえ、ユーザ設定コントロールユニット４は、デバイスの設定変化を監視する（ステップＳ６）。そして、ユーザ設定コントロールユニット４は、シフトポジションがパーキングにあり（ステップＳ７でＹＥＳ）、且つ、エンジンが停止している状態で（ステップＳ８でＹＥＳ）、ユーザによるトリガ操作があったとき（ステップＳ９でＹＥＳ）、それまでのユーザ設定値をこの時点の設定値（ユーザ選好値）に変更する（ステップＳ１０）。
【００３６】
すなわち、ユーザ設定コントロールユニット４は、車両２の運転が終了した時点（ステップＳ７及びステップＳ８で共にＹＥＳ）の乗車環境を示す設定情報を、当該運転に使用された電子キー（本例では鍵番号「１」の電子キー）に関連付けして、運転シート位置制御システム６等を通じてユーザ設定記憶装置５ａ等に更新記憶する。その結果、更新後の記憶内容が次回の解錠時における乗車環境の設定に反映されることになる。
【００３７】
以上説明したように、本実施の形態によれば、以下の効果を奏することができる。
（７）ユーザ設定コントロールユニット４は、電子キーの鍵番号を各制御システム６、７等に伝達すればよいため、処理負担を軽減できる。
【００３８】
尚、上記各実施の形態は、次のように変更して具体化することも可能である。
・電子キーのボタン操作を通じて遠隔で解錠を行う電子キーシステムを搭載している車両に本発明を適用してもよい。この場合、ボタン操作に伴い電子キーから送信される解錠指示信号に例えばＵＨＦ帯の電波を用いることとすれば、車両２からの呼び掛け信号にＬＦ帯の電波を用いつつ、電子キーからの応答信号にＵＨＦ帯の電波を用いる電子キーシステムに比べて、通信可能距離が長くなる。このため、車両から比較的遠く離れた地点で電子キーのボタン操作をして解錠を行った場合には、ユーザが実際に搭乗するまでの間に十分な時間がとれることになり、この十分な時間を用いて、搭乗前に乗車環境の設定を終わらせることができる。したがって、搭乗時により快適に乗車できるようになる。
【００３９】
・シート位置及びミラー位置に代えて又は加えて、ハンドル位置等を含めて乗車環境が構築されてもよい。
・ユーザ設定コントロールユニット４は、電子キー認証システム３から独立した制御機器であることに限定されず、電子キー認証システム３の一部であってもよい。この別例による電子キー認証システム３は、運転者の認証手段（推定手段）の他、ユーザ設定管理手段に相当する。
【符号の説明】
【００４０】
１…車両制御システム、２…車両、３…電子キー認証システム、４…ユーザ設定コントロールユニット（ユーザ設定管理手段）、５…ユーザ設定記憶装置（ユーザ設定記憶手段）、５ａ…ユーザ設定記憶装置（ユーザ設定記憶手段）、５ｂ…ユーザ設定記憶装置（ユーザ設定記憶手段）、６…運転シート位置制御システム（機器制御手段）、７…ミラー位置制御システム（機器制御手段）。
【図１】
2017043203.tif 000003
【図２】
2017043203.tif 000004
【図３】
2017043203.tif 000005